(57)【要約】【課題】連続してロール状に収容され、設置姿が崩れることがなく、また、小袋を片手で引き出し、容易に切断することのできる小袋収容体の提供。【解決手段】筒状体２の周面に、長手方向に延びる開口３が形成され、開口３の中央部の両側縁から周方向中央に向かって突出した切断片４が形成された容器５内に、中央部に切裂部が形成されたミシン目を介して連結された複数の小袋をロール巻きして収容して切断取出しを可能とした小袋収容体。【選択図】    図１
2007015699.tif 000002
【特許請求の範囲】
【請求項１】
筒状体の周面に、長手方向に延びる開口が形成され、開口の中央部の両側縁から周方向中央に向かって突出した切断片が形成された容器内に、中央部に切裂部が形成されたミシン目を介して連結された複数の小袋をロール巻きして収容してなることを特徴とする切断取出しを可能とした小袋収容体。
【請求項２】
筒状体を長手方向の分割線に沿って分割し、蓋体と容器本体とを形成し、両者を一方の側方で連結して開閉自在とし、蓋体に開口を形成してなる請求項１に記載の切断取出しを可能とした小袋収容体。
【請求項３】
容器内部に中底を上下動自在に装着し、下方から弾発的に押し上げることによって、ロール巻きされた小袋を、中底を介して開口方向に弾発的に押圧するように形成されてなる請求項１又は２に記載の切断取出しを可能とした小袋収容体。
【発明の詳細な説明】
【技術分野】
【０００１】
本発明は、連続した小袋をロール状にして収容し、使用時に各小袋を切断して取り出すことを可能とした小袋収容体に関する。
【背景技術】
【０００２】
スーパーマーケットにおいては、果物あるいは野菜類等をばらのままで展示し、顧客は、近くに設置されている熱可塑性樹脂製の小袋を取り出して、必要量をその小袋に入れて購入する方法を採るケースが多い。また、豆腐、生牡蠣等の水と共に包装された商品は水漏れ等を避けるため、包装体をさらに小袋に入れて購入することも行われている。
【０００３】
これらの目的に使用する小袋は、客が自ら取り出して収容することから、慣れない者でも簡単に取り出して使用できることが重要な要素となる。また、設置された小袋は、取り出しのために手が触れることから戴置姿が崩れて乱雑になり易く、戴置姿が崩れると、見苦しく、また、衛生感を阻害することから、崩れることのない構造とすることが必要であり、さらに、小袋は、最後の一枚まで使用できるように保護されることも必要となる。
【０００４】
かかる目的のため、一般に、ミシン目を介して小袋を連結して長尺状にし、これをロール巻きにして設置することが行われており、使用に際しては、末端に位置する小袋を片手で引っ張り、次の袋を他の手で押さえながら力を加えて切断して利用する方式が採用されている。
【０００５】
しかし、陳列台の傍では、客は片手に野菜や濡れた商品あるいは抓み挟みを持っていることが多く、両手を必要とする操作は不都合である。このため、ミシン目の中央部に切り裂き部を形成して、小袋を引き出したとき、切り裂き部が切断片に引っかかるようにして、片手の操作で切断できるようにした小袋収容体も提案されている（特許文献１）。
【０００６】
しかし、この収容体は、ロール巻きした小袋を函体の側壁に形成された溝部に装着するため、特定の構造、寸法に形成された専用の小袋ロールしか使用することができない問題がある。また、引き出すためには、特定の方向から引き出す必要があり、多数の客が自由に取り出す装置としては満足し得るものではない。
【０００７】
このため、サイズの異なる小袋も広く使用でき、片手で容易に切断することのできる小袋収容体の開発が要請されている。
【特許文献１】特開平６−２１９４５２号公報
【発明の開示】
【発明が解決しようとする課題】
【０００８】
本発明は、サイズの異なる小袋を広く使用でき、使用中に収容姿が崩れることがなく、また、連続した小袋を片手で引き出し、小袋を容易に単位毎に切り離すことのできる小袋収容体を提供するものである。
【課題を解決するための手段】
【０００９】
本発明は、かかる課題を解決するために、鋭意検討した結果なされたもので、具体的には、筒状体の周面に、長手方向に延びる開口が形成され、開口の中央部の両側縁から周方向中央に向かって突出した切断片が形成された容器内に、中央部に切裂部が形成されたミシン目を介して連結された複数の小袋をロール巻きして収容してなることを特徴とする切断取出しを可能とした小袋収容体を提供するものである。
【００１０】
また、本発明は、筒状体を長手方向の分割線に沿って分割し、蓋体と容器本体とを形成し、両者を一方の側方で連結して開閉自在とし、蓋体に開口を形成してなる上記の切断取出しを可能とした小袋収容体、及び、容器内部に中底を上下動自在に装着し、下方から弾発的に押し上げることによって、ロール巻きされた小袋を、中底を介して開口方向に弾発的に押圧するように形成されてなる上記の切断取出しを可能とした小袋収容体を提供するものである。
【発明の効果】
【００１１】
本発明は、小袋を連続した状態でロール状に巻回して収容しているから、最後まで設置姿が崩れることがない。
【００１２】
また、小袋は、中央部に切裂部が形成されたミシン目を介して連結されているため、引き出した際、切裂部が切断片に引っ掛ってその位置で止まるから、次の小袋が連なって引き出されることがなく、片手で引き出して容易に切断することができる。
【発明を実施するための最良の形態】
【００１３】
本発明の小袋収容体１は、図１に示すように、筒状体２の周面に、長手方向に伸びる開口３が形成され、開口３の中央部には、その両側縁から周方向中央に向かって突出した切断片４、４が形成された容器５内に、図６に示すように、横断する方向のミシン目１３と、その中央部にミシン目１３方向の切裂部１４が形成された複数の小袋１２をロール巻きにして収容することによって形成される。
【００１４】
筒状体２は、円筒形を基本とするが、断面が四角、六角、八角、その他星型等任意の形状にすることができる。また、筒状体２すなわち容器５を形成する材料としては、鉄、ステンレススチール、銅、アルミニウム等の金属、高密度ポリエチレン、ポリプロピレン、ポリエステル、ポリ塩化ビニル、ポリカーボネート、ポリメチルメタアクリレート、ＡＢＳ樹脂等の熱可塑性樹脂、又は、メラミン樹脂、ウレア樹脂等の熱硬化性樹脂、あるいはＦＲＰ等の複合材料を用いることができる。
【００１５】
容器５は、図１に示すように、筒状体２の周面の一部に、長手方向に延びる開口３が開設される。開口３の大きさは、その長さが収容される袋の幅と同様かそれより若干小さめであることが望ましいが、収容される袋の幅より大きいものであっても支障はない。また開口３の幅は、最初に小袋を装着する際、内装した小袋の先端を引き出す操作をし易くするために指を差し入れられる大きさとすることが望ましい。指を差し入れられる大きさとすることによって、使用中に小袋の先端が内部に入ってしまったときにも、それを引き出す際に便利になる。
【００１６】
容器５の小袋装填用の挿入口は、筒状体２の端部に形成することができる（図示せず）が、図１に示すように、筒状体２の半割り構造にするのが好ましい。半割り構造は、両端を封鎖した筒状体２を長手方向に分割して、容器本体６と蓋体７とを形成し、容器本体６と蓋体７の一側をヒンジで連結した構造とすることによって開閉自在の容器５とされる。
【００１７】
開口３の中央部には、開口３の両側縁から切断片４、４が突出形成される。切断片４、４は、周方向に突出して開口３の中央部に張り出して、図１に示すように、双方の切断片４、４の先端部が近接して対峙した状態とされる。
【００１８】
この際、図５に示すように、切断片４、４の先端を周方向に張り出すと共に、その先端部を径方向にも外側に張り出すように屈曲させることが好ましい。特に、切断片４、４の先端部を径方向外側に屈曲させると共に双方の切断片４、４が軽く接触するようにすることが望ましく、切断片４、４を軽く接触させることによって先端の小袋１２を切断したとき、次の小袋１２が切断片４、４間に挟持されて保持されるため、次の小袋１２を取出す操作が容易になる。
【００１９】
容器５には、図６に示すように、ミシン目１３を介して連結された長尺状の小袋１２をロール状に巻き取って収納する。小袋１２を形成する材料は特に制限はなく、包装用の袋として一般に使用される材料を広く使用することができる。具体的には、例えば、高圧法低密度ポリエチレン、線状低密度ポリエチレン、高密度ポリエチレン、ポリプロピレン、エチレン・プロピレン共重合体、エチレン・酢酸ビニル共重合体等のポリオレフィン、ポリエチレンテレフタレート、ポリブチレンテレフタレート等のポリエステル、ナイロン６、ナイロン６６等のポリアミド等を用いることができる。また、アルミニウム蒸着ポリプロピレン等の複合体を使用することができる。中でも、経済性、耐水性、ガスバリアー性等からポリオレフィンあるいはポリアミドが望ましい。
【００２０】
これら熱可塑性樹脂には、目的に応じて各種の添加剤を添加することができる。具体的には、フェノール系、有機ホスファイト系などの有機リン系、チオエーテル系等の酸化防止剤；ヒンダードアミン系等の光安定剤；ベンゾフェノン系、ベンゾトリアゾール系、ベンゾエート系等の紫外線吸収剤；ノニオン系、カチオン系、アニオン系等の帯電防止剤；ビスアミド系、ワックス系、有機金属塩系等の分散剤；アルカリ土類金属塩のカルボン酸塩系等の塩素補足剤；アミド系、ワックス系、有機金属塩系、エステル系等の滑剤；ヒドラジン系、アミンアシド系等の金属不活性剤；無機、有機充填材、金属イオン系などの無機、有機抗菌剤、可塑剤等が挙げられる。
【００２１】
これら添加剤は、適宜組み合わせて材料組成物を製造する工程で配合される。添加剤の配合は、従来の公知の二軸スクリュー押出機、バンバリーミキサー、ニーダー、ミキシングロール等の混練装置を用いて所定割合に混合して、これを溶融混練して調製してもよいし、高濃度のいわゆるマスターバッチを作製し、これを希釈して使用するようにしてもよい。
【００２２】
小袋１２を形成するための熱可塑性樹脂フィルムの成形は、Ｔダイによる押し出し成形法、インフレーション成形法、カレンダー成形法等を使用材料と目的から選択して実施することができる。インフレーション成形法により筒状のフィルムとしたときは底シール１５を形成して小袋１２とし、Ｔダイによる押し出し成形法あるいはカレンダー成形法を用いてフラットなフィルムとしたときは２枚を重ねて三方をヒートシールすることによって小袋１２とされる。
【００２３】
小袋１２を形成する熱可塑性樹脂フィルムの厚さは目的に応じて任意に選定することができるが、一般的には、５〜５０μｍ、好ましくは５〜３０μｍ程度である。
【００２４】
長尺状の小袋１２に設けられるミシン目１３は、各小袋１２の底シール１５に近接した位置に、底シール１５に沿って形成される。この際、ミシン目１３の中央部には、切断目を大きくした切裂部１４が形成される。切裂部１４は、小袋１２を収容体１から引き出した際、切断片４が系合して、２枚以上が引き出されないようにすると共に、２枚目の小袋１２を引き止めて切断を容易にする機能をもつ。切裂部１４の長さは、一般に、５〜５０ｍｍ程度とされる。
【００２５】
得られた連続した小袋１２は、ロール状に巻き取られて容器５内に装填され、その先端が開口３の切断片４、４の間から引き出される。なお、小袋１２をロール状に巻き取る際、巻き管は使用してもしなくてもよい。
【００２６】
このようにして装填された小袋１２を使用するに際しては、切断片４、４の間から小袋１２を指で摘んで引くと、小袋１２が引き出され、ミシン目１３が切断片４の位置に来ると、図４（Ａ）、（Ｂ）に示すように、切断片４がミシン目１３の中央部に形成された切裂部１４に係合して引っ掛かり、次の小袋１２の引き出しが止められるため、引き出し応力がミシン目１３にかかりミシン目１３が切断され、小袋１２が取出される。
【００２７】
また、小袋１２の端部を摘んで取出し易くするためには、図２に示すように、開口３の両端部に、切断片４と同様の保持片８、８を両側縁から周方向に張り出させ、その先端を径方向外側に張り出すように屈曲して、対峙させることによって、小袋１２を切断した際、次の小袋１２の先端部を挟んで保持させることができ、内部に落ち込むことを防止することができる。
【００２８】
また、小袋１２がブロッキング性の強い材料で形成され、ロール状に巻き取られた小袋１２を引き出す際の巻き出し力が大きくなると、巻きロールが浮き上がったり下がったりして小袋１２の先端が内部に落ち込むおそれがある。これを防止するため、次の構造とすることが望ましい。
【００２９】
すなわち、図３に示すように、中底９を容器５内に上下動自在に嵌装して、その下部に発条等の弾性体１０を装着して、中底９を上方に押し上げることによって、小袋１２の巻きロールを開口３側に押圧して、巻きロールが持ち上がって落下することを防止する構造とする。なお、中底９は左右対称に階段状に中央部の低い形状とすることによって、幅の異なる小袋１２を装填した場合にも横方向にずれることを防止することができる。
【産業上の利用可能性】
【００３０】
本発明は、片手で小袋を切断して取出すことができるから、スーパーマーケット等の陳列棚、あるいは、レジを出た後の整理台の傍に置いて、客に利用して貰うことができる。また、商店における商品の包装室、家庭の台所等でも使用することができる。
【図面の簡単な説明】
【００３１】
【図１】本発明小袋収容体の例を示す斜視図
【図２】本発明小袋収容体の他の例を示す斜視図
【図３】本発明小袋収容体のさらに他の例を示す縦断面図
【図４】切断片部分の（Ａ）は縦断面図、（Ｂ）は斜視図
【図５】切断片の他の例を示す縦断面図
【図６】本発明の連続した小袋の例を示す斜視図
【符号の説明】
【００３２】
１：小袋収容体
２：筒状体
３：開口
４：切断片
５：容器
６：容器本体
７：蓋体
９：中底
１０：弾性体
１２：小袋
１３：ミシン目
１４：切裂部
１５：底シール
【図１】
2007015699.tif 000003
【図２】
2007015699.tif 000004
【図３】
2007015699.tif 000005
【図４】
2007015699.tif 000006
【図５】
2007015699.tif 000007
【図６】
2007015699.tif 000008